(57)【要約】  ドアまたは窓のパネルをフレーム要素に固定するためのラッチ構成が提供される。ラッチ構成は、フレーム要素上に取り付けられたロック要素であって、前記ロック要素がパネルに形成されたくぼみと係合することでパネルをフレーム要素にロックするロック位置と、前記ロック要素がパネル上のくぼみから解除されることによりパネルをフレーム要素からアンロックするアンロック位置との間で変位可能なロック要素と；手動で操作可能なハンドルを含む作動機構を含み、該作動機構はパネル上に取り付けられ、ロック要素に選択的に係合し、およびロック要素をくぼみから遠ざけてアンロック位置へと変位させるように構成される。【選択図】図２Ｃ
2019510897.tif 000002
【特許請求の範囲】
【請求項１】
ドアまたは窓のパネルをフレーム要素に固定するためのラッチ構成であって、該ラッチ構成は：
フレーム要素上に取り付けられたロック要素であって、前記ロック要素がパネルと係合することでパネルをフレーム要素にロックするロック位置と、前記ロック要素がパネルから解除されることによりパネルをフレーム要素からアンロックするアンロック位置との間で変位可能なロック要素；
パネル上に取り付けられ、および前記ロック要素に選択的に係合し、かつ前記ロック要素をパネルとの係合から外して前記アンロック位置に変位させるように構成された作動機構、
を含み、
ここで前記ロック要素は、前記ロック位置と前記アンロック位置との間の回転運動を含む運動を受けるようにフレーム要素に取り付けられ、および前記作動機構は、前記ロック要素を前記アンロック位置へと選択的に移動させるように構成される、
ことを特徴とするラッチ構成。
【請求項２】
前記作動機構は、前記ロック要素がパネルとの係合から外れるように前記作動機構によって促される第１の位置、および前記ロック要素が前記作動機構によってパネルと係合可能になる第２の位置との間で変位可能となるように、パネル上に変位可能に取り付けられたハンドルを含むことを特徴とする、請求項１に記載のラッチ構成。
【請求項３】
前記第１の位置で、前記ハンドルがパネルの開放方向に向かって枢動することを特徴とする、請求項２に記載のラッチ構成。
【請求項４】
前記作動機構が、パネル上に変位可能に取り付けられ、および選択的に前記ロック要素の方へ移動することで前記ロック要素が前記アンロック位置に変位するように構成された作動部材を含むことを特徴とする、請求項２に記載のラッチ構成。
【請求項５】
前記ハンドルが前記作動部材に係合する部分を含み、および前記ハンドルは、前記第１の位置に変位した時に、前記作動部材が前記ロック要素の方へと変位することで前記ロック要素が前記アンロック位置に変位するように構成されることを特徴とする、請求項４に記載のラッチ構成。
【請求項６】
前記ハンドルが、パネルの方へ枢動するように構成されたパニック棒と、前記パニック棒と共に枢動するように構成された傾斜部材を含み、前記傾斜部材は前記作動部材と係合するように構成され、および前記パニック棒がパネルの方へ枢動する時、前記傾斜部材は前記作動部材に前記ロック要素の方へ移動するように促すように構成されることを特徴とする、請求項５に記載のラッチ構成。
【請求項７】
前記作動部材が、パネルの厚み寸法の少なくとも一部にわたって移動するように構成されることを特徴とする、請求項４に記載のラッチ構成。
【請求項８】
ドアまたは窓のパネルをフレーム要素に固定するためのラッチ構成であって、該ラッチ構成は：
フレーム要素上に取り付けられたロック要素であって、前記ロック要素がパネルと係合することでパネルをフレーム要素にロックするロック位置と、前記ロック要素がパネルから解除されることによりパネルをフレーム要素からアンロックするアンロック位置との間で変位可能なロック要素；
前記ロック要素に取り付けられた止めラッチであって、前記ロック要素が前記ロック位置に固定される固定位置と、前記ロック要素が前記アンロック位置へと自由に変位する解放位置との間で選択的に変位するように構成された止めラッチ；
前記止めラッチを前記解放位置へと選択的に変位させ、および前記ロック要素を前記アンロック位置へと変位させるように構成された作動部材、
を含み、
ここで前記作動機構はパネル上に取り付けられることを特徴とする、
ラッチ構成。
【請求項９】
前記作動機構がパネル上に変位可能に取り付けられた手動で変位可能なハンドルを含み、および作動機構は、前記ハンドルの動作が連続して前記止めラッチを解放し、続いて前記ロック要素が係合から外れて変位するように構成されることを特徴とする、請求項８に記載のラッチ構成、
【請求項１０】
前記止めラッチが前記ロック要素上に取り付けられ、および、選択的に当接機構に係合するように構成されることで前記ロック要素のアンロック位置への変位を妨げることを特徴とする、請求項８に記載のラッチ構成。
【請求項１１】
前記止めラッチは、前記ロック要素上に摺動可能に取り付けられ、および、その少なくとも一部が前記当接機構と係合する固定位置と、前記少なくとも一部が前記当接機構から引き離される解放位置との間で摺動するように構成されることで、前記ロック要素は前記アンロック位置へと自由に移動することを特徴とする、請求項１０に記載のラッチ構成。
【請求項１２】
前記当接機構がパネル上に画定されることを特徴とする、請求項１１に記載のラッチ構成。
【請求項１３】
前記止めラッチは前記ロック要素上に枢動可能に取り付けられ、および、前記ロック要素が前記ロック位置に固定される固定位置と、前記ロック要素が前記アンロック位置へと自由に変位する解放位置との間で枢動するように構成され、ここで前記作動機構は前記止めラッチを前記解放位置へと選択的に枢動させるように構成されることを特徴とする、請求項１０に記載のラッチ構成。
【請求項１４】
前記当接機構がフレーム要素上に画定されることを特徴とする、請求項１３に記載のラッチ構成。
【請求項１５】
前記作動機構が捕捉部材を含み、および前記固定位置において前記止めラッチが前記捕捉部材と係合することを特徴とする、請求項１３に記載のラッチ構成。
【請求項１６】
前記ロック位置の前記ロック要素はパネルに対して斜角に延び、それによって、ロック要素の第１の領域はパネルに係合するように展開され、一方でロック要素の第２の領域はフレーム要素で支持され、および前記ロック位置におけるパネルの開放方向へのパネルの変位は、前記ロック要素にかけられた圧縮力によって対抗されることを特徴とする、請求項１に記載のラッチ構成。
【請求項１７】
ドアまたは窓のパネルをフレーム要素に固定するためのラッチ構成であって、該ラッチ構成は：
フレーム要素上に取り付けられたロック要素であり、前記ロック要素がパネルと係合することでパネルをフレーム要素にロックするロック位置と、前記ロック要素がパネルから解除されることによりパネルをフレーム要素からアンロックするアンロック位置との間で変位可能なロック要素；
パネル上に取り付けられ、前記ロック要素を選択的に係合し、および前記ロック要素を前記アンロック位置に変位させるように構成された作動機構、
を含み、
前記ロック位置の前記ロック要素はパネルに対して斜角に延び、それによって、ロック要素の第１の領域はパネルに係合するように展開され、およびロック要素の第２の領域はフレームで支持され、および前記ロック位置におけるパネルの開放方向へのパネルの変位は、前記ロック要素にかけられた圧縮力によって対抗される、
ことを特徴とするラッチ構成。
【請求項１８】
ドアまたは窓であって：
フレーム要素；
前記フレーム要素の一部に対して当接するように構成されたパネル；
および、パネルをフレーム要素に選択的に固定するために展開される、請求項１から１７のいずれかに記載のラッチ構成、
を含むドアまたは窓。
【請求項１９】
前記パネルが、閉じた状態と開いた状態との間で、前記フレーム要素の近接および離反方向に摺動するように構成された摺動パネルである、請求項１８に記載のドアまたは窓。
【請求項２０】
前記パネルが、閉じた状態と開いた状態との間で、前記フレーム要素の近接および離反方向に回転するように構成されたヒンジ式パネルである、請求項１８に記載のドアまたは窓。
【発明の詳細な説明】
【技術分野】
【０００１】
ドアまたは窓のパネルをフレーム要素に固定するためのラッチ構成は、ロック要素がフレーム要素およびパネルと係合し、それによってパネルがフレーム要素から離れて移動するのを防ぐ、ロック位置間のパネルに対して変位可能なロック要素を含む構成である。ロック要素は、パネルをフレーム要素に固定するために、フレーム要素上に取り付けられ、パネルの近接および離反方向に変位可能で有り得る。代替的に、ロック要素は、パネルをフレーム要素に固定するために、パネル上に取り付けることができ、フレーム要素の近接および離反方向に変位可能である。
【０００２】
米国特許第４８０３８０８号は、例えば手回しクランクの形態で、開き窓フレームを閉位置と開位置との間で移動させるための装置を備えた、外開き窓のためのスイベル継手であって、閉位置に開き窓フレームを固定するために、クランクによって動かす位置固定アーム、および固定フレームの１つのフレーム部材上の操作ハンドルを有する、スイベル継手を開示する。少なくとも１つのロックプレートが、ハンドルによって操作可能な駆動ロッド上のロック要素と協同する開き窓フレームに含まれる。窓が閉位置にある場合、窓が閉まる運動をハンドルの作動によって比較的早くに支持し、破損に対する高い保護を保証するために、ロックプレートのロック突出部は固定フレームの溝に突き出ている。
【発明の概要】
【０００３】
本明細書に開示される主題の態様に従って、ドアまたは窓のパネルをフレーム要素に固定するためのラッチ構成が提供され、該パネルはくぼみを含む。ラッチ構成は、フレーム要素上に取り付けられたロック要素であって、前記ロック要素がパネルに形成されたくぼみと係合することでパネルをフレーム要素にロックするロック位置と、前記ロック要素がパネル上のくぼみから解除されることによりパネルをフレーム要素からアンロックするアンロック位置との間で変位可能なロック要素と、手動で操作可能なハンドルを含む作動機構を含み、該作動機構はパネル上に取り付けられ、ロック要素に選択的に係合し、およびロック要素をくぼみから遠ざけてアンロック位置へと変位させるように構成される。
【０００４】
ハンドルは、枢動可能にパネルに取り付け可能であり、および、ロック要素がくぼみから遠ざかるように促される第１の位置と、ロック要素が自由に係合し得る第２の位置との間で変位可能で有り得る。第１の位置では、ハンドルはパネルの開放方向に向かって枢動することができる。
【０００５】
作動機構は、パネル上に摺動可能に取り付けられ、および、ロック要素に向かって選択的に摺動するように構成された作動部材を含み、それによってロック要素はアンロック位置へと変位することができる。ハンドルは作動部材に係合する部分を含み、およびハンドルが枢動した時に作動部材がアンロック位置に向かって押され、それによってロック要素がアンロック位置に変位可能になるように、該ハンドルは構成され得る。
【０００６】
ハンドルは、パネルに向かって枢動するように構成されたパニック棒、およびパニック棒と共に枢動するように構成された傾斜部材を含み、該傾斜部材は作動部材に係合するように構成され、およびパニック棒がパネルに向かって枢動する時、傾斜部材は、作動部材がロック要素に向かって摺動するように促すように構成され得る。作動部材は、パネルの横に延びる溝内で摺動するように構成し得る。
【０００７】
ラッチ構成はさらに、ロック要素上に取り付けられ、およびロック要素がロック位置で固定され得る固定位置と、ロック要素が自由にアンロック位置へと変位可能な解放位置との間で選択的に変位するように構成された止めラッチを含み、該作動機構は、止めラッチを解放位置に選択的に変位させるように構成され得る。
【０００８】
ハンドルの動作によって止めラッチを連続的に解放し、続いてロック要素が解除されるように、作動機構は構成され得る。止めラッチは前記ロック要素に取り付けることができ、当接機構に選択的に係合するように構成することができ、それによって、前記ロック要素がアンロック位置へと変位するのを防ぐ。止めラッチは、前記ロック要素上に摺動可能に取り付けることができ、および、その少なくとも一部が前記当接機構と係合する固定位置と、前記少なくとも一部が前記当接機構から引き離される解放位置との間で摺動するように構成することができ、それによってロック要素はロック位置へと自由に移動する。当接機構はパネル上に画定され得る。
【０００９】
止めラッチは、枢動可能にロック要素に取り付けることができ、ロック要素がロック位置に固定され得る固定位置と、前記ロック要素が自由に前記アンロック位置へと変位可能な解放位置との間で枢動するように構成することができ、および前記作動機構は、前記止めラッチを前記解放位置へと選択的に枢動させるように構成され得る。当接機構はフレーム要素上に画定され得る。
【００１０】
作動機構は捕捉部材を含み、および固定位置において、止めラッチは捕捉部材と係合し得る。
【００１１】
ロック要素は、枢動可能にフレーム要素上に取り付けることができ、および作動機構は、ロック要素をくぼみから遠ざけてアンロック位置へと選択的に枢動させるように構成され得る。ロック位置のロック要素はパネルに対して斜角に延び得、それによって、ロック要素の第１の端部をくぼみに係合するように構成し、同時にロック要素の第２の端部をフレーム要素の一部に係合するように構成することができ、およびロック位置におけるパネルの開放方向へのパネルの変位は、ロック要素とフレーム要素の一部にかけられた圧縮力によって対向され得る。
【００１２】
本開示の主題の別の態様に従って、フレーム要素を含むドアまたは窓が提供される；フレーム要素の一部に当接するように構成されたパネルであって、該パネルはくぼみを含む；フレーム要素上に枢動可能に取り付けられ、およびパネルをフレーム要素にロックするためにロック要素がパネルのくぼみに係合するロック位置と、パネルをフレーム要素からアンロックするためにロック要素がパネルのくぼみから解除されるアンロック位置との間で変位可能なロック要素；および、フレーム要素上に取り付けられ、および手動で操作可能なハンドルを含む作動機構であって、該作動機構は選択的にロック要素に係合し、およびロック要素をくぼみから遠ざけてアンロック位置に変位させるように構成される。
【００１３】
パネルは、閉じた状態と開いた状態との間で、フレーム要素の近接および離反方向に摺動するように構成された摺動式パネルでもよい。
【００１４】
パネルは、閉じた状態と開いた状態との間で、フレーム要素の近接および離反方向に回転するように構成された蝶番式パネルでもよい。
【００１５】
本明細書および特許請求の範囲で使用される用語「移動する（ｓｈｉｆｔ）」と「変位する（ｄｉｓｐｌａｃｅ）」は、限定されないが、直線変位、枢動運動、回転運動等を含む、諸要素の機械的変位を一般的に指す。用語「パネル」は、閉じた状態の開口部の少なくとも一部で展開された要素を指すために使用される。パネルおよび対応するふたは、ドア、窓、または、ヒンジ式パネルまたは摺動式パネルによって選択的に閉じられる（または部分的に閉じられる）他の種類の開口部でもよい。
【００１６】
本明細書で使用される句「上に取り付けられた」は、第２の要素上や第２の要素の内部に配された第１の要素、第２の要素の外側表面に付けられた第１の要素等を含む、２つの要素間の任意の配置において第２の要素に付けられた第１の要素を指す。
【００１７】
本明細書で使用される句「上に画定された」は、部材と一体化して形成された、部材に取り付けられた等の任意の方法で部材上に設けられた機構または要素を指す。
【００１８】
本明細書と特許請求の範囲で使用される用語「ドア」は、開き戸、引き戸、任意の種類の窓、および車両またはその一部を覆うためのボンネットとトランク等を含み、ビルまたは車両などの構造物への開口部を介した、密閉区域へのまたは２つの密閉区域間への入口を介したアクセスを選択的に遮断し、および選択的にアクセス可能にするように構成された、移動式パネルを一般的に指す。
【図面の簡単な説明】
【００１９】
開示を理解し、かつ本発明がどのように実際に実施され得るかを確かめるために、添付の図を参照しつつ、単なる非限定的な例としてここから実施形態を記載していく。
【図１Ａ】本開示の主題の例に従いラッチ構成を有するパネルの上面断面図である。
【図１Ｂ】ラッチ構成のアンロック位置にある図１Ａのパネルの上面断面図である。
【図１Ｃ】開いた状態にある図１Ａのパネルの上面断面図であり、およびラッチ構成はアンロック位置にある。
【図１Ｄ】開いた状態にある図１Ａのパネルの上面断面図であり、およびラッチ構成はロック位置にある。
【図２Ａ】本開示の主題の他の例に従い、ラッチ構成を有するパネルの斜視図である。
【図２Ｂ】図２Ａのパネルの上面断面図である。
【図２Ｃ】ラッチ構成のロック位置にある図２Ａのパネルの上面断面図である。
【図２Ｄ】ラッチ構成のアンロック位置にある図２Ａのパネルの上面断面図である。
【図２Ｅ】開いた状態にある図２Ａのパネルの上面断面図であり、およびラッチ構成はアンロック位置にある。
【図３Ａ】本開示の主題の他の例に従いラッチ構成を有するパネルの斜視図である。
【図３Ｂ】図３Ａのパネルの上面断面図である。
【図３Ｃ】ラッチ構成のロック位置にある図３Ａのパネルの上面断面図である。
【図３Ｄ】ラッチ構成のアンロック位置にある図３Ａのパネルの上面断面図である。
【図３Ｅ】開いた状態にある図３Ａのパネルの上面断面図であり、およびラッチ構成はアンロック位置にある。
【図４Ａ】ラッチ構成の別のロック位置にある図３Ａのパネルの上面断面図である。
【図４Ｂ】ラッチ構成の別のアンロック位置にある図３Ａのパネルの上面断面図である。
【図５Ａ】本開示の主題の他の例に従いラッチ構成を有するパネルの斜視図である。
【図５Ｂ】図５Ａのパネルの上面断面図である。
【図５Ｃ】ラッチ構成のロック位置にある図５Ａのパネルの上面断面図である。
【図５Ｄ】ラッチ構成のアンロック位置にある図５Ａのパネルの上面断面図である。
【図５Ｅ】開いた状態にある図５Ａのパネルの上面断面図であり、およびラッチ構成はアンロック位置にある。
【図６Ａ】本開示の主題のさらに別の例に従い、ラッチ構成を有するパネルの斜視図である。
【図６Ｂ】図６Ａのパネルの上面断面図である。
【図６Ｃ】ラッチ構成のロック位置にある図６Ａのパネルの上面断面図である。
【図６Ｃ】ラッチ構成のアンロック位置にある図６Ａのパネルの上面断面図である。
【図６Ｅ】開いた状態にある図６Ａのパネルの上面断面図であり、およびラッチ構成はアンロック位置にある。
【発明を実施するための形態】
【００２０】
本発明は、ドアまたは窓などのパネルを開口部のまわりのフレーム要素に固定するためのラッチ構成に関する。ラッチ構成は、ボルトまたはラッチなどのロック要素を含み、ドアまたは窓のパネルの対応するくぼみに選択的に係合するために、フレーム要素に対して変位可能に取り付けられる。本発明は、作動機構によってフレーム要素上のロック要素と相互に作用する、ドアまたは窓のパネルに取り付けられた手動で操作可能なハンドルを提供する。作動機構は、ドアまたは窓のパネル上に画定されたくぼみとの係合から外して、ロック要素を選択的に変位させるように構成される。
【００２１】
したがって、ドアまたは窓のパネルの開放は、フレーム上の機構と互いに作用することなく、ドア上のハンドルによって行うことができる。図を参照して詳細に説明されるように、ハンドルは様々な形状を有することができ、例えば操作方向などの種々の手法で、および作動機構との相互作用の種々の方法で構成され得る。
【００２２】
摺動式ボルトの文脈における本発明の第１の実装は、図１Ａ−１Ｄに関連して本明細書に提示され、本発明の態様の根本原理を例示する。残りの図面で例示される特に好ましい様々な実装は、ロック要素がフレーム要素に対して枢動可能に取り付けられるロック構造を用いる。この種のロック構造は、高度に有利な機械的性質を提供することがわかっており、特にパネルを無理やり開けようとするために加えられる荷重は、フレーム要素のかなりの長さに沿って延びるロック要素に沿って分配される（典型的にはフレーム要素の長さの１０％より大きく、場合によってはその大部分に沿う）。本発明の態様は、パネル上に取り付けられた手動操作ハンドルによって、フレームを取り付けたそのようなロック機構を開放するための解決策を提供し、それによって、パネルを取り付けたロック構造のハンドルの機械的利益と、パネルを取り付けたハンドルの直観的操作とを組み合わせる。
【００２３】
さらに、ある例によれば、ロック要素に本締錠が設けられている場合、ハンドルの動きが本締錠を順次解除し、そして次にロック要素を係合から外して変位させるように、作動機構は好ましくは構成される。
【００２４】
図１Ａから１Ｄは、ドアパネル（１０）、フレーム要素（１２）、およびパネル（１０）をフレーム要素（１２）に固定するためのラッチ構成（２０）を含む開き戸を示す。本明細書の記載は、非限定的な例としてドアを対象とするが、窓、または変位可能なパネルが開口部をまたがる位置に選択的にロックされた状況の文脈においても、ラッチ構成を等しく実装可能であることが理解されよう。
【００２５】
図１Ａから１Ｄに示されるように、ドアパネル（１０）は、その閉じた状態において、フレーム要素（１２）の当接部（１３）上に画定されたショルダー部（１４）に当接するように構成される。当接部（１３）は、ドアパネル（１０）が閉じた状態にある時、ドアパネル（１０）のフレーム対向部（１５）に面するように、ドアパネル（１０）に対して配置される。
【００２６】
ラッチ構成（２０）はロック要素を含み、これは、フレームの溝（２４）内部に摺動可能に取り付けられた抜き差しピン（２２）として本明細書に例示され、およびフレーム要素（１２）の当接部（１３）上に画定される。抜き差しピン（２２）は、図１Ａに示されるロック位置と、図１Ｂに示され以下で説明されるアンロック位置との間で、その一部がフレーム溝（２４）から出入りして摺動するように構成される。ある例によれば、抜き差しピン（２２）は、ロック位置においてフレーム溝（２４）から延びるように構成される、傾斜した先端（２３）を含み得る。抜き差しピン（２２）が通常はロック位置へと駆り立てられるように、抜き差しピン（２２）はフレーム溝（２４）内部に取り付けられたばね（２５）によって付勢され得る、つまり、抜き差しピン（２２）の少なくとも一部はフレーム溝（２４）から突き出している。
【００２７】
ドアパネル（１０）は、ドアパネル（１０）のフレーム対向部（１５）上に画定されたパネル溝（１８）を含む。パネル（１０）は、閉じた状態にある時、パネル溝（１８）がフレーム溝（２４）に対して同軸に配されるように構成される。このようにして、図１Ａに示されるように、ドアパネル（１０）の閉じた状態では、抜き差しピン（２２）はフレーム溝（２４）から外に向かって、およびパネル溝（１８）の中へと延び、それによってパネル（１０）をフレーム要素（１２）にロックする。
【００２８】
したがって抜き差しピン（２２）は、ロック位置とアンロック位置との間で変位可能である。ロック位置において、パネル（１０）がその閉じた状態にある時、抜き差しピン（２２）の少なくとも一部、すなわち傾斜した先端（２３）は、パネル（１０）上のパネル溝（１８）と係合し、それによってパネルをフレーム要素（１２）にロックするように、抜き差しピン（２２）はフレーム溝（２４）から外へ延びる。他方でアンロック位置においては、図１Ｂに示されるように、抜き差しピン（２２）はパネル溝（１８）から解除され、それによってパネル（１０）をフレーム要素（１２）からアンロックする。アンロック位置において、抜き差しピン（２２）の全体または一部をフレーム溝（２４）の内部に配してもよく、それによってパネル（１０）を、ドアまたは窓の開いた状態へと枢動させることができる。
【００２９】
本例では、抜き差しピン（２２）はロック位置においてパネル溝（１８）に係合するように構成されるが、他の例によれば、パネル溝（１８）を、抜き差しピン（２２）との強固な係合をもたらすように構成されたくぼみに置き換えることができると理解される。
【００３０】
ラッチ構成（２０）はさらに作動機構を含み、本明細書において作動ピン（３０）として例示される、パネル溝（１８）内部に摺動可能に配された作動部材を有する。ある例によれば、ドアパネル（１０）のフレーム対向部（１５）に近接したパネル溝（１８）の端部が占有されていない間に、作動ピン（３０）がパネル溝（１８）内部で摺動できるように、作動ピン（３０）はパネル溝（１８）の長さよりもわずかに短い長さを有する。このようにして、図１Ａおよび１Ｄに示されるように、作動ピン（３０）がパネル溝（１８）の内端に配される引き込み位置と、図１Ｂおよび１Ｃに示されるように、作動ピン（３０）がパネル溝（１８）の外端に配される前方位置との間で、作動ピン（３０）は摺動可能であり、それによって、作動ピン（３０）の端部は、ドアパネル（１０）のフレーム対向部（１５）と実質的に水平である。
【００３１】
従って、図１Ａに示されるように、ドアパネル（１０）がその閉じた状態にある時、作動ピン（３０）を引き込み位置へと摺動させることができ、それにより抜き差しピン（２２）をパネル溝（１８）と係合させることができ、およびパネル溝（１８）の占有されていない端部の内部に傾斜した先端（２３）を挿入することができ、それによってドアパネル（１０）をフレーム要素（１２）に固定する。しかしながら、図１Ｂに示されるように、作動ピン（３０）は前方位置に摺動可能であり、それによって抜き差しピン（２２）をパネル溝（１８）からそのアンロック位置へと押し出し、結果として傾斜した先端（２３）はパネル溝（１８）から解除され、およびドアパネル（１０）はフレーム要素（１２）から離れ、ドアパネル（１０）の開いた状態へと自由に変位する。
【００３２】
本例によれば、手動で操作可能なハンドル（３５）は作動ピン（３０）に連結され、およびパネル（１０）の表面から突出し、それによってユーザーとそれらとの相互作用を可能にする。ハンドル（３５）は、パネル溝（１８）と、パネル（１０）の外側表面との間に画定された開口部（３７）を通って延びることができる。開口部（３７）は、ハンドル（３５）の横への変位を可能にするように構成され得る。例えば、ハンドル（３５）がパネル溝（１８）の軸に平行な軸で自由に変位するように、開口部（３７）はハンドル（３５）の幅より広くてもよい。
【００３３】
従って、ドアパネル（１０）がその閉じた状態にある時、ハンドル（３５）はフレーム要素（１２）に向かって移動可能であり、それによってパネル溝（１８）内部の作動ピンをその前方方向へと変位させる。その結果、図１Ｂに示されるように、抜き差しピン（２２）はパネル溝（１８）からそのアンロック位置へと押し出され、それによって抜き差しピン（２２）の傾斜した先端（２３）を押してパネル溝（１８）から解除させ、結果としてドアパネル（１０）はフレーム要素（１２）から遠ざかり、ドアパネル（１０）の開いた状態へと自由に変位する。
【００３４】
パネル（１０）のフレーム対向部（１５）は、抜き差しピン（２２）の傾斜した先端（２３）と相互に作用するように構成された傾斜部（１９）を含み得る。すなわち、傾斜部（１９）の傾斜方向は、傾斜した先端（２３）の傾斜方向に対応し、パネルがその開いた状態から閉じた状態へと枢動する時、フレーム対向部（１５）の傾斜部（１９）は傾斜した先端（２３）に係合するようになる。このようにして、パネルがショルダー部（１４）に向かって枢動する時、抜き差しピン（２２）がそのロック位置にある場合でさえ、すなわち傾斜した先端（２３）がフレーム溝（２４）から突き出している場合でさえ、その変位を抜き差しピン（２２）が阻むことはない。正しくは、傾斜部（１９）は抜き差しピン（２２）の傾斜した先端（２３）に係合し、および抜き差しピン（２２）をその引き込み位置へ徐々に変位させ、それによってフレーム対向部（１５）はショルダー部（１４）に当接することができる。
【００３５】
抜き差しピン（２２）は、他の例によれば、パネル溝（１８）に選択的に係合するように構成されるボールベアリングと置き換えることができると理解される。ボールベアリングは、フレーム対向部（１５）によって係合される時、例えばパネル（１０）がその閉じた状態に変位する時に、引き戻されるように構成され得る。このように、フレーム対向部（１５）は、傾斜部（１９）なしで形成され得る。
【００３６】
加えて、本例は開き戸パネルであるが、同様のラッチ構成を引き戸に使用可能であることは、当業者によって理解されるだろう。
【００３７】
図２Ａから２Ｅは、パネル（５０）をフレーム要素（５２）に固定するために構成されたラッチ構成（５１）を有する、ドアまたは窓の別の例を例示する。本例によれば、パネル（５０）は開き戸のパネルであり、およびその閉じた状態において、フレーム要素（５２）上に画定されたショルダー部（５４）に当接するように構成される。フレーム要素（５２）はさらに、ラッチ構成（５１）を中に収容するためのハウジング（５５）を画定し、ドアが閉じた状態にある時に、ドアパネル（５０）のフレーム対向部（５７）はラッチ構成（５１）によって係合され得る。
【００３８】
本例によれば、ラッチ構成（５１）は、フレーム要素（５２）上に枢動可能に取り付けられ、および図２Ｂと２Ｃに示されるロック位置と、図２Ａと２Ｄと２Ｅに示されるアンロック位置との間で変位可能なロック要素（５８）を含む。
【００３９】
ロック要素（５８）は、ドアパネル（５０）のフレーム対向部（５７）上に画定されたくぼみ（６０）に係合するように構成された第１の端部（６４）、およびフレーム要素（５２）に付けられた第２の端部（６６）を含んでもよい。ロック要素（５８）が第２の端部（６６）のまわりを枢動できるようにするために、第２の端部（６６）は丸い形状を有し、およびフレーム要素（５２）上に画定された対応するシート上に取り付けられる。
【００４０】
ある例によれば、図２Ｂに示されるように、ロック位置では、ロック要素（５８）はパネル（５０）の方へ、およびハウジング（５５）の離反方向へ枢動し、パネル（５０）に対して斜角に配される。フレーム対向部（５７）上のくぼみ（６０）は、本例によれば、フレーム対向部（５７）に対して角度を有する面を提供する、傾斜した切り落としとして画定される。斜めに切り落とされたくぼみ（６０）の角度は、ロック要素（５８）がロック位置にある場合、パネル（５０）に対するロック要素（５８）の角度に対応する。このようにして、ドアパネル（５０）が閉じた状態にあり、およびロック要素がロック位置へと枢動する場合、ロック要素（５８）の第１の端部（６４）は、切り落とされたくぼみ（６０）と係合し、それによってパネル（５０）をフレーム要素（５２）にロックする。用語「切り落とされた」は、くぼみ（６０）の最終的な形状の描写として、本明細書において使用され、その構造を製作するために使用される生産技術を制限することはなく、必ずしも「切り取り」を含むとは限らないことに留意すべきである。
【００４１】
ロック要素（５８）が切り落とされたくぼみ（６０）から遠ざかるように枢動する場合、図２Ｄと２Ｅに示されるように、ロック要素（５８）の第１の端部（６４）は、パネル（５０）上の切り落とされたくぼみ（６０）から解除され、その開いた状態へと自由に回転することができる。
【００４２】
ロック要素（５８）はフレーム要素の全長または長さの大部分に沿って延び、ロック位置において、フレーム対向部（５７）の全長または長さの大部分に沿って画定可能な切り落とされたくぼみ（６０）と係合することが理解されよう。本例にかかるラッチ構造（５１）はデッドロック要素をさらに含み、ここでは、ロック位置のロック要素（５８）を固定するために選択的に展開可能な止めラッチ（７０）として例証されている。止めラッチ（７０）は、ロック要素（５８）に枢動可能に取り付けられ、ロック位置のロック要素（５８）を固定するように構成される。例えば、止めラッチ（７０）は、ハウジング（５５）へ伸びて、および、フレーム要素（５２）上で画定された当接機構（７４）と選択的に係合するように構成された、尾部（７２）を含み得る。止めラッチ（７０）は、尾部（７２）に対向し、かつ、フレーム対向部（５７）の方へ伸びる、止めラッチ（７０）の端部上で画定された頭部先端（７８）をさらに含む。
【００４３】
止めラッチ（７０）は、ロック要素（５８）がロック位置で固定される固定位置と、ロック要素（５８）がハウジング（５５）に向かって自由に枢動してパネル（５０）の切り落とされたくぼみ（６０）を解除する解放位置との間で枢動するように構成される。図２Ｂで示される固定位置において、ロック要素（５８）のハウジングに向かう枢動が起きないようにし、かつ、ハウジングがロック位置で維持されるように、尾部（７２）は当接機構（７４）と係合する。他方では、解放位置において、ロック要素（５８）のくぼみ（６０）から離れてアンロック位置へ向かう変位がもはや起こらないように、尾部（７２）は当接機構（７４）から解除するように、止めラッチ（７０）はわずかに枢動する。
【００４４】
一例によれば、止めラッチ（７０）は、ハウジング（５５）内部の当接機構（７４）とフレーム対向部（５７）との間で延びることができるように、ロック要素（５８）の幅に沿って画定されたチャネル（７６）に取り付けられる。チャネル（７６）の幅は、止めラッチ（７０）がチャネル（７６）の内部で枢動することができるように、止めラッチ（７０）の幅よりもわずかに大きい。止めラッチ（７０）の最大枢動角度はこのようにチャネル（７６）の幅によって決定することができることがわかる。
【００４５】
このように、止めラッチ（７０）のその解放位置への枢動は、頭部先端（７８）を側方に押すことにより行うことが可能であり、それにより、ハウジング（５５）の内部の当接機構（７４）から尾部（７２）を解除する。
【００４６】
ラッチ構成（５１）は、ロック要素（５８）をアンロック位置に変位させるように構成された作動機構（８０）をさらに含む。例示された例によれば、作動機構（８０）は、ロック要素（５８）が固定されず、アンロック位置へと枢動可能となるように、止めラッチ（７０）をその解放位置へ枢動するようにさらに構成される。
【００４７】
作動機構（８０）は、例えば、フレーム対向部（５７）のすぐ近くで画定され、およびパネル（５０）に対して横方向に延びる溝（８５）の内部でパネル上に摺動可能に取り付けられた作動部材（８２）を含む。作動部材（８２）は、パネル（５０）の外側表面に面する第１の端部（８４ａ）と、頭部先端（７８）に面する第２の端部（８４ｂ）とを含む。
【００４８】
作動機構（８０）は、パネル（５０）上で枢動可能に取り付けられた手動で操作可能なハンドル（８８）をさらに含み、その第１の端部がパネル（５０）から離れるように枢動されるとき、図２Ｄで示されるように、第２の端部（９０）はパネルの方へ押される。ハンドル（８８）の第２の端部（９０）は作動部材（８２）の第１の端部（８４ａ）と係合するように構成される。
【００４９】
このように、ハンドル（８８）がパネル（５０）から離れるように枢動されるとき、作動部材（８２）は、ハンドル（８８）の第２の端部（９０）によって押され、摺動し、それにより、止めラッチ（７０）の頭部先端（７８）を押すように促される。結果として、尾部（７２）がハウジング（５５）の内部で当接機構（７４）を解除するように、止めラッチ（７０）はその解放位置へ枢動し、ロック要素（５８）はくぼみ（６０）から離れるように自由に枢動することができる。上記に説明されるように、止めラッチ（７０）が最大枢動角度まで枢動されるとき、止めラッチ（７０）の尾部（７２）がチャネル（７６）の内壁に当接するように、止めラッチ（７０）が取り付けられているチャネル（７６）はあらかじめ決められた枢動角度を許可するように構成される。これに応じて、作動部材（８２）のさらなる変位により、第２の端部（８４ｂ）が、もはや枢動することができない止めラッチ（７０）の頭部先端（７８）をさらに押し、それにより、止めラッチ（７０）が取り付けられているロック要素（５８）をくぼみ（６０）から離れるように変位させる。
【００５０】
このように、その第１の端部がパネル（５０）から引き離されるようなハンドル（８８）の単一の枢動動作は、止めラッチ（７０）をその解放位置へと動かし、直後にロック要素（５８）はアンロック位置へと枢動する。
【００５１】
図２Ｅで示されるように、例示される例によれば、パネルの開放方向へ向かうハンドルの枢動により、作動部材（８２）が止めラッチ（７０）をその解放位置へ変位させ、ロック要素（５８）そのアンロック位置へ変位させるように、ハンドル（８８）はパネル（５０）上に取り付けられる。このように、ドアパネル（５０）をアンロックして開くことが望ましいとき、一方向への単一の動作が必要とされる。
【００５２】
ロック要素（５８）は、ロック要素（５８）をハウジング（５５）から離れてロック位置へと駆り立てるように構成された戻し機構（図示せず）を含み得ることがわかる。同様に、止めラッチ（７０）は、その安定した位置に配置されるように通常は付勢をかけることが可能である。図３Ａ乃至図４Ｂは、パネル（１００）をフレーム要素（１０２）に固定するために構成された、別の例にかかるラッチ構成（１０１）を有するドアまたは窓を示す。前の例において、パネルは開き戸のパネルであり、その閉状態においてフレーム要素（１０２）上で画定されたショルダー部（１０４）に当接するように構成され、これは、内部でラッチ構成（１０１）を保持するためのハウジング（１０５）を含む。加えて、パネルはその端部のすぐ近くに枢動可能に取り付けられたハンドル（１３２）を含み、以下に詳細に説明されるようにパネル（１００）の開口を許可するように構成される。
【００５３】
前の例のように、ラッチ構成（１０１）は、フレーム要素（１０２）上に枢動可能に取り付けられ、および図３Ｂに示されるようなロック位置と図３Ｄと３Ｅで示されるアンロック位置との間で変位可能なロック要素（１０８）を含む。加えて、前の例のように、ラッチ構成（１０１）は、ロック位置でロック要素（１０８）を固定するために選択的に展開可能な止めラッチ（１２０）を含む。
【００５４】
しかしながら、本例によれば、ロック要素（１０８）と止めラッチ（１２０）の作動は、ドアパネル（１００）上に枢動可能に取り付けられた手動のアクチュエーター（１３７）によって、あるいはハウジング（１０５）の内部で取り付けられた回転アクチュエーター（１１７）によって実行可能である。加えて、本例によれば、止めラッチ（１２０）は、パネル（１００）に取り付けられた手動のアクチュエーター（１３７）上で捕捉部材（１０８）と係合することにより、ロック要素（１０８）を固定にするように構成されることに注意されたい。これは、止めラッチ（７０）が、フレーム要素（１２）上に取り付けられた当接機構と係合することによりロック要素（５８）を固定するように構成されている前の例とは対照的である。
【００５５】
回転アクチュエーター（１１７）は、止めラッチ（１２０）とロック要素（１０８）を枢動するように構成されたリニアアクチュエーターとを取り替え可能であることが認識される。
【００５６】
図３Ｂ乃至３Ｅに関して本例の詳細な説明が以下に続く。ロック要素（１０８）は、ドアパネル（１００）のフレーム対向部（１０７）上に画定されたくぼみ（１１０）に係合するように構成された第１の端部（１１４）と、フレーム要素（１０２）に付けられた第２の端部（１１６）とを含む。図３Ｂに示されるように、ロック位置では、ロック要素（１０８）はパネル（１００）の方へ枢動し、およびパネル（５０）に対して斜角に配される。このように、ロック位置では、ロック要素（１０８）の第１の端部（１１４）は切り落とされたくぼみ（１１０）と係合して、フレーム要素（１０２）へパネル（１００）をロックし、および、アンロック位置では、図３Ｅで示されるように、パネル（１００）がアンロックされ、その開状態まで自由に回転することができるように、ロック要素（１０８）は切り落とされたくぼみ（１１０）から離れて枢動する。
【００５７】
本例にかかる止めラッチ（１２０）はロック要素（１０８）に枢動可能に取り付けられ、および、ハウジング（１０５）へ延び、かつ、ハウジング（１０５）の内部に取り付けられた回転アクチュエーター（１１７）を係合するように構成された尾部（１２２）を含む。加えて、ロック要素（１０８）は、尾部（１２２）に対向し、フレーム対向部（１０７）の方へ延びる止めラッチ（１２０）の端部上で画定されたフック（１２８）を含んでいる。
【００５８】
フック（１２８）は、ロック要素（１０８）がそのロック位置で固定されるように、パネル（１００）の手動のアクチュエーター（１３７）上で画定された捕捉部材（１３８）を係合するように構成される。
【００５９】
したがって、止めラッチ（１２０）は、ロック要素（１０８）がフック（１２８）の捕捉部材（１３８）との係合によってそのロック位置では固定される固定位置と、ロック要素（１０８）がハウジング（１０５）へ自由に枢動してパネル（１００）の切り落とされたくぼみ（１１０）を係合する解放位置との間で、枢動するように構成される。
【００６０】
上に言及されるように、本例にかかるラッチ構成（１０１）は、ハウジング（１０５）の内部に取り付けられた回転アクチュエーター（１１７）を含む。回転アクチュエータ（１１７）は、止めラッチ（１２０）の尾部（１２２）と係合する一方で、止めラッチ（１２０）の枢動動作に平行な動作の第１および第２の方向に選択的に回転するように構成される。
【００６１】
図３Ｃと３Ｄで示されるように、回転アクチュエーター（１１７）が第１の方向に回転するとき、止めラッチ（１２０）のもう１つの端部のフック（１２８）が手動のアクチュエーター（１３７）上の捕捉部材（１３８）を解除し、止めラッチ（１２０）が解放位置へ動かされるまで、その回転動作により止めラッチ（１２０）の尾部（１２２）は枢動するように促される。
【００６２】
図３Ｄで示されるように、第１の方向への回転アクチュエーター（１１７）のさらなる回転が、ロック要素（１０８）にくぼみ（１１０）から離れてアンロック位置へ枢動するように促すように、止めラッチ（１２０）の枢動角度は、ロック要素（１０８）との係合によって制限され得る。
【００６３】
図３Ｅに関して、ロック要素（１０８）がくぼみ（１１０）から遠ざかるように枢動して、完全にそこから解除すると、ドアパネル（１００）をハンドル（１３２）によってその開状態まで引っ張ることが可能である。
【００６４】
止めラッチ（１２０）の尾部（１２２）が固定された位置へ戻るように枢動可能であり、ロック要素（１０８）がロック位置に戻るように枢動されるように、回転アクチュエーター（１１７）は、第２の方向に回転可能である。止めラッチ（１２０）およびロック要素（１０８）の、それぞれ固定位置およびロック位置への枢動は、ばね（図示せず）などの戻し機構によって実行可能であると理解される。これに応じて、回転アクチュエーター（１１７）は回転アクチュエーター（１１７）が第１の方向に回転するときに、こうした戻し機構の力に対向するように構成される。しかしながら、回転アクチュエータ（１１７）が第２の方向に回転するとき、止めラッチ（１２０）とロック要素（１０８）は、戻し機構の力によってそれぞれ固定位置とロック位置に戻るように促される。
【００６５】
上記のように、本例によれば、ロック要素（１０８）と止めラッチ（１２０）の作動は、ドアパネル（１００）上に枢動可能に取り付けられた手動のアクチュエーター（１３７）によって実行することができる。手動のアクチュエーター（１３７）は、グリップ（１３５）と手動のアクチュエーター（１３７）を含むハンドル（１３２）と一体的に形成可能である。ハンドル（１３２）はグリップ（１３５）と手動のアクチュエーター（１３７）との間で画定された枢動点（１３４）の回りをパネル（１００）上で枢動するように構成可能である。本例によれば、手動のアクチュエーター（１３７）は、図３Ｂで示されるように、ロック位置のロック要素（１０８）上で画定された凹部（１１２）と係合するように構成される。
【００６６】
上記のように、本例によれば、ロック位置とアンロック位置との間でロック要素を変位させるための作動機構は、手動のアクチュエーター（１３７）と回転アクチュエーター（１１７）とを含む。手動のアクチュエーター（１３７）と回転アクチュエーター（１１７）は互いから独立して動作可能であることが認識される。
【００６７】
ここで、手動のアクチュエーター（１３７）の操作が例証されている図４Ａと４Ｂに注意を向ける。ドアパネル（１００）の手動による開口について、ハンドル（１３２）は、パネル（１００）の開口方向に向かって枢動可能であり、それによって、手動のアクチュエーター（１３７）を凹部（１１２）から摺動させ、フック（１２８）から捕捉部材（１３８）を解除させ、ロック要素（１０８）は止めラッチ（１２０）と捕捉部材（１３８）によってもはや固定されなくなる。図４Ｂで示されるように、パネル（１００）の開口方向へハンドル（１３２）を枢動させることで、手動のアクチュエーター（１３７）がくぼみ（１１０）から離れてアンロック位置へとロック要素（１０８）を押す。
【００６８】
ここで、図５Ａ乃至５Ｅに注意を向けると、ラッチ構造（１５１）は、パニックドアのパネル（１５０）をフレーム要素（１５２）に固定するために実装可能である。前の例において、パネル（１５０）は開き戸のパネルであり、その閉状態においてフレーム要素（１５２）上で画定されたショルダー部（１５４）に当接するように構成され、これは、内部でラッチ構成（１５１）を保持するためのハウジング（１５５）を含む。加えて、パネル（１５０）は、パネル（１５０）に枢動可能に取り付けられ、およびパネル（１５０）に沿って水平に伸びるパニック棒（１６４）を含む、ハンドル（１６２）を含んでいる。パニックドアは、以下に説明されるように、パニック棒（１６４）をドアの開放方向へ押すことで、パネル（１５０）の開口が始まるように、屋外の開放方向のために構成可能である。前の例のように、ラッチ構成（１５１）は、フレーム要素（１５２）上に枢動可能に取り付けられ、および図５Ｂに示されるようなロック位置と図５Ｄと３Ｅで示されるアンロック位置との間で変位可能なロック要素（１５８）を含む。加えて、前の例のように、ラッチ構成（１５１）は、ロック位置でロック要素（１５８）を固定するために選択的に展開可能な止めラッチ（１６０）を含む。
【００６９】
しかしながら、先の実例にしたがって、止めラッチ（１６０）は、ロック要素（１５８）の内部に摺動可能に取り付けられ、および、止めラッチ（１６０）の少なくとも一部が凹部（１５６）の形態をした当接機構と係合する固定位置と、止めラッチ（１６０）の少なくとも一部が凹部（１５６）から引き戻される解放位置との間で摺動可能なように構成される。さらに、本例によって、当接機構、つまり、凹部（１５６）は、以下に説明されるようにパネル（１５０）上で画定され、これは、当接機構（７４）がフレーム要素に取り付けられる図２Ａ−２Ｅの例とは対照的である。
【００７０】
図５Ｂ乃至５Ｅに関して本例の詳細な説明が以下に続く。ロック要素（１５８）は、ドアパネル（１５０）のフレーム対向部（１５７）上に画定されたくぼみ（１５９）に係合するように構成された第１の端部（１６６）と、フレーム要素（１５２）に付けられた第２の端部（１６８）とを含む。図５Ｂに示されるように、ロック位置では、ロック要素（５８）はパネル（１５０）の方へ枢動し、およびパネル（１５０）に対して斜角に配される。このように、ロック位置では、ロック要素（１５８）の第１の端部（１６６）は切り落とされたくぼみ（１５９）と係合して、フレーム要素（１５２）へパネル（１５０）をロックし、および、アンロック位置では、図５Ｅで示されるように、パネル（１５０）がアンロックされ、その開状態まで自由に回転することができるように、ロック要素（１５８）は切り落とされたくぼみ（１５９）から離れて枢動する。
【００７１】
先に示されたように、本実例に従った止めラッチ（１６０）は、ロック要素（１５８）の内部に摺動可能に取り付けられ、および、少なくともその係合部（１６５）がロック要素（１５８）の第１の端部（１６６）から突出する固定位置と、止めラッチ（１６０）がロック要素（１５８）内に引き戻される解放位置との間で選択的に摺動するように構成される。
【００７２】
止めラッチ（１６０）は、ロック要素（１５８）の内部に取り付けられたバネ部材（１７５）によってバイアスをかけられたばねでもよく、止めラッチ（１６０）を固定位置へと追い立てるように構成され、すなわち係合部（１６５）は第１の端部（１６６）から突出する。さらに、上述されたように、本実例に従った凹部（１５６）は、切り落とされたくぼみ（１５９）の内部に形成された凹部として構成され、止めラッチ（１６０）の係合部（１６５）と係合するように構成される。
【００７３】
したがって、ドアパネル（１５０）がその閉じた状態にあるとき、ロック要素（１５８）は、その第１の端部（１６６）がドアパネル（１５０）上の切り落とされたくぼみ（１５９）に係合するロック位置へと枢動され得る。この位置では、止めラッチ（１６０）は、係合部（１６５）が第１の端部（１６６）から突出するその固定位置へと移動可能であり、それによって、切り落とされたくぼみ（１５９）の内部に形成された凹部（１５６）に係合し、ロック要素（１５８）がくぼみ（１５９）から遠ざかり、アンロック位置へと枢動するのを妨げる。
【００７４】
ロック要素（１５８）は、その上に枢動可能に取り付けられ、および止めラッチ（１６０）に連結されたピボットアーム（１７０）をさらに含み、それによって、ピボットアーム（１７０）がロック要素（１５８）に向かって枢動するとき、止めラッチ（１６０）はロック要素（１５８）の内部に向かい、解放位置へと摺動するよう促され、ピボットアーム（１７０）の用途は本明細書において以下に説明される。
【００７５】
ラッチ構成（１５１）は作動機構（１８０）をさらに含み、作動機構（１８０）は、本明細書ではパネル（１５０）に画定された溝（７４）の内部に摺動可能に配された作動ピン（１７２）として例証された作動部材を有し、ドアパネル（１５０）のフレーム対向部（１５７）で終端となる第１の端部と、パネル（１５０）の内部に画定された中空部（１８４）で終端となる第２の端部を含む。例示された実例による溝（１７４）は、パネル（１５０）がその閉じた状態にあるとき、溝（１７４）がロック要素（１５８）のピボットアーム（１７０）と同軸に配されるように、確定される。
【００７６】
（１７２）は、溝（１７４）の第１および第２の端部の間の溝の内部で、フレーム対向部（１５７）の外側表面に向かって、および、該外側表面から離れて摺動するように構成され、その第１の端部（１７３ａ）はピボットアーム（１７０）に選択的に係合することができる。図５Ｂに示されるように、その第２の端部（１７３ｂ）が中空部（１８４）の内部に配されるように、作動ピン（１７２）は配され、その意図は以下で説明される。
【００７７】
このようにして、図５Ｃに示されるように、作動ピン（１７２）が前方へ摺動し、およびピボットアーム（１７０）と係合するとき、図５Ｄに示されるように、後者は枢動し、および止めラッチ（１６０）をロック要素（１５８）の内部からその解放位置へと摺動させる。
【００７８】
ばね（１７５）によって作動ピン（１７２）にバイアスをかけることができ、それによって通常は、フレーム対向部（１５７）の外側表面から遠ざかるように促される。この位置において、ピボットアーム（１７０）は溝（１７４）の第１の端部に向かって枢動する。
【００７９】
一例によれば、作動機構（１８０）はハンドル（１６２）によって手動で操作可能であり、ハンドル（１６２）は、上記のように、パネル（１５０）上に枢動可能に取り付けられたパニック棒（６４）を含む。ハンドル（１６２）は、ロック要素（１５８）がくぼみ（１５９）から遠ざかるように促される第１の位置と、ロック要素（１５８）がくぼみ（１５９）に自由に係合する第２の位置との間で変位可能であり得る。
【００８０】
例えば、ハンドル（１６２）は枢動台（１７６）を含んでもよく、枢動台の上にはパニック棒（１６４）が取り付けられる。枢動台（１７６）は、ドアパネル（１５０）に枢動可能に取り付けられ、および、パネル（１５０）内部に形成された中空部（１８４）に出入りするべく枢動するように構成された、傾斜部材（１７８）を含む。中空部（１８４）は、溝（１７４）の第２の端部が中空部（１８４）を通じてアクセス可能なように画定され、および作動ピン（１７２）の第２の端部（１７３ｂ）は中空部（１８４）の内部で突出する。
【００８１】
枢動台（１７６）の傾斜部材（１７８）は、画定された厚さの変化する部分を含み、傾斜部材（１７８）が中空部（１８４）の内部で枢動するとき、傾斜部が溝（１７４）の第２の端部に面し、および作動ピン（１７２）の第２の端部（１７３ｂ）に係合し、これは、上記のように中空部分（１８４）内に配される。
【００８２】
このようにして、パニック棒（１６４）がその第１の位置へ押されるとき、傾斜部材（１７８）が作動ピン（１７２）の端部に係合するように、枢動台（１７６）は枢動し、および傾斜部材（１７８）は中空部（１８４）の内部で摺動する。
【００８３】
結果として、傾斜部材（１７８）は、作動ピン（１７２）が溝（１７４）内部でフレーム対向部（１５７）に向かって摺動するように選択的に促し、それによってピボットアーム（１７０）を押して枢動させ、および止めラッチ（１６０）を解放位置へと変位させる。パニック棒（１６４）をさらに押すと、傾斜部材（１７８）はさらに中空部（１８４）内へと枢動し、および作動ピン（１７２）はさらに溝（１７４）の内部へと摺動する。この位置では、ロック要素（１５８）により制限されたピボットアーム（１７０）のさらなる変位、すなわち、作動ピン（１７２）によるピボットアーム（１７０）のさらなる変位は、一部を切り落とされたくぼみ（１５９）から遠ざかるようにロック要素（１５８）を枢動させる。
【００８４】
パニック棒（１６４）がハンドルの第２の位置へと解放されているとき、作動ピン（１７２）のばね（１７５）は、中空部（１８４）の方へ引き戻されるように作動ピン（１７２）に付勢し、およびピボットアーム（１７０）が戻るように枢動させ、かつ、止めラッチ（１６０）の係合部（１６５）が切り落とされたくぼみ（１５９）内部に形成された凹部（１５６）に係合する固定位置に止めラッチ（１６０）を変位させ、それによって、ロック要素（１５８）がくぼみ（１５９）から遠ざかりアンロック位置へと枢動するのを妨げる。
【００８５】
図６Ａ乃至６Ｅは、引き戸のパネル（２００）をフレーム要素（２０２）に固定するように構成されたラッチ構成（２０１）を示し、これは、パネルが開き戸のパネルである前の例とは対照的である。前の例に似て、ラッチ構成（２０１）は、フレーム要素（２０２）上で枢動可能に取り付けられロック要素（２１０）と、パネル（２００）に取り付けられた手動で操作可能なハンドル（２１２）を含み、およびフレーム要素（２０２）へパネルをロックするためにロック要素（２１０）と相互に作用するように構成された作動機構とを含む。
【００８６】
フレーム要素（２０２）は、第２の側部（２０４ｂ）に連結された第１の側部（２０４ａ）を含み、第２の側部（２０４ｂ）は第１の側部（２０４ａ）から離間して配され、そうすることでその間のハウジング（２０６）を画定する。ハウジング（２０６）はパネル（２００）の端部セグメントを収容するように構成される。
【００８７】
フレーム要素（２０２）は、その縁と第２の側部（２０４ｂ）との間の開口部（２０５）を画定する第１の側部（２０４ａ）からハウジング（２０６）の内部で横方向に延びる当接部分（２０８）をさらに含む。開口部（２０５）は、パネル（２００）の端部セグメントが内部を通ってハウジング（２０６）へ摺動するのを可能にするように構成される。
【００８８】
この例によれば、パネル（２００）は、フレーム要素（２０２）の第１の側部（２０４ａ）に向かってパネル（２００）の表面から突出するショルダー部（２０９）を有するくぼみを含み得る。
【００８９】
ロック要素（２１０）は、第１の端部（２１２ａ）と第２の端部（２１２ｂ）を含み、ハウジング（２０６）に配置され、ロック位置（図６Ａと６Ｂ）とアンロック位置（図６Ｄと６Ｅ）との間で変位可能である。ロック位置では、ロック要素（２１０）の第１の端部（２１２ａ）はパネル（２００）のショルダー部（２０９）と係合し、その一方で、第２の端部（２１２ｂ）はフレーム要素（２０２）の当接部分（２０８）と係合して、それによってハウジング（２０６）からのパネル（２００）の摺動を妨げる。アンロック位置では、ロック要素（２１０）の第１の端部（２１２ａ）がパネル（２００）のショルダー部（２０９）から解除され、パネル（２００）がフレーム要素（２０２）から離れてその開状態まで摺動するように、ロック要素（２１０）は枢動される。
【００９０】
例によれば、第１の端部（２１２ａ）が対応する角度でも形成可能なショルダー部（２０９）と係合するように、ロック位置のロック要素（２１０）はパネル（２００）に対して斜角で延びる。このように、ロック要素（２１０）のロック位置では、パネルの開放方向に向かうパネル（２００）の変位は、ロック要素（２０８）とフレーム要素（２０２）の突き合わせ部分（２０８）との間でもたらされる圧縮力によって対抗される。
【００９１】
ラッチ構成（２０１）は、ハウジング（２０８）の内部で枢動可能に取り付けられて、第１のアーム（２１６ａ）と第２のアーム（２１６ｂ）を有するポジティブロック部材（ｐｏｓｉｔｉｖｅ  ｌｏｃｋ  ｍｅｍｂｅｒ）（２１５）を含む。第１のアーム（２１６ａ）は閉状態のときにパネル（２００）の縁と係合するように構成され、第２の腕（２１６ｂ）はロック要素（２１０）の表面と係合するように構成される。パネル（２００）がハウジング（２０８）に摺動して閉状態になるとき、パネル（２００）の縁は第１のアーム（２１６ａ）と係合してパネル（２００）の閉方向に平行な方向にそれを押すように、ポジティブロック部材（２１５）は構成される。結果として、ポジティブロック部材（２１５）は枢動し、第２の腕（２１６ｂ）はロック要素（２１０）をロック位置に促し、つまり、第１の端部（２１２ａ）はショルダー部（２０９）に係合する。したがって、ポジティブロック部材（２１５）は、ドアパネル（２００）の閉鎖時に、ロック要素（２１０）のロック位置への自律的な変位を可能にする。ポジティブロック部材（２１５）が任意の要素であり、他の例によるラッチ構造（２０１）は、そのロック位置をロック要素（２１０）に駆り立てるように構成された戻し機構を含む。
【００９２】
前の例のように、ラッチ構成（２０１）は、ロック位置でロック要素（２１０）を固定するために選択的に展開可能な止めラッチ（２１８）をさらに含む。止めラッチ（２１８）は、ロック要素（２１０）の内部で摺動可能に取り付けられ、その１つの端部上で画定されたフック部（２２０ａ）と、その対抗する端部上で画定された係合部分（２２０ｂ）とを含む。止めラッチ（２１８）はロック要素（２１０）の内部で摺動するように構成され、その一方で、フック部（２２０ａ）はロック要素（２１０）の１つの側に配置され、係合部分（２２０ｂ）はロック要素（２１０）の第２の側に配置される。止めラッチ（２１８）は、フック部（２２０ａ）がフレーム要素（２０２）上の捕捉部材（２２４）の形をした当接機構と係合している従事している固定位置と、フック部（２２０ａ）が捕捉部材（２２４）から解除される解放位置との間で摺動するように構成される。
【００９３】
止めラッチ（２１８）のフック部（２２０ａ）とフレーム要素（２０２）上の捕捉部材（２２４）は、ロック要素（２１０）がそのロック位置へ枢動するときに、互いに係合するように構成される。すなわち、ロック要素（２１０）がロック位置にあるとき、フレーム要素（２０２）上の捕捉部材（２２４）は、止めラッチ（２１８）の摺動軸と平行に配置される。このように、この位置では、図６Ｂと６Ｃで示されるように、止めラッチ（２１８）は、フック部（２２０ａ）がフレーム要素（２０２）上の捕捉部材（２２４）と係合し、それにより、ロック要素（２１０）のアンロック位置への枢動を防ぐ、固定位置と、フック部（２２０ａ）が捕捉部材（２２４）から解除して、ロック要素（２１０）がそのアンロック位置へ自由に枢動する、解放位置との間で、選択的に摺動可能である。
【００９４】
止めラッチ（２１８）がロック要素（２１０）に取り付けられるため、後者がそのアンロック位置へ枢動するとき、捕捉部材（２２４）は止めラッチ（２１８）の摺動軸ともはや平行ではなく、図６Ｄで示されるように、フック部（２２０ａ）はもはや捕捉部材（２２４）と係合することはできない。この位置では、パネル（２００）は図６Ｆで示されるようなハウジング（２０６）から摺動可能である。
【００９５】
止めラッチ（２１８）はロック要素（２１０）の内部に取り付けられたばね部材（２２２）によって付勢され、止めラッチ（２１８）を固定位置へと促す。
【００９６】
ラッチ構成（２０１）は、パネル（２００）上に取り付けられた手動で操作可能なハンドル（２１２）を含み、および、フレーム要素（２０２）へパネルをロックするためにロック要素（２１０）と相互に作用するように構成された、作動機構をさらに含む。
【００９７】
例示される例によれば、ハンドル（２１２）は、パネル（２００）に枢動可能に取り付けられ、グリップ（２３０）と作動部材（２３２）を含む。作動部材（２３２）はパネル（２００）の表面に近接して配置され、グリップ（２３０）はしっかりと握ることができるようにパネル（２００）の表面から離れて突出する。
【００９８】
パネル（２００）の縁がハウジング（２０６）の内部に挿入されるとき、作動部材（２３２）はそれで挿入され、止めラッチ（２１８）の係合部分（２２０ｂ）と係合するように構成されるように、ハンドル（２１２）は取り付けられる。
【００９９】
ハンドル（２１２）は、作動部材（２３２）がパネル（２００）の表面に向かって枢動する第１の位置と、作動部材（２３２）がパネル（２００）の表面から離れて枢動する第２の位置との間で枢動可能である。図６Ｃで示されるように、パネルが閉状態にあるとき、ハンドル（２１２）を第２の位置に枢動すると、作動部材（２３２）は止めラッチ（２１８）の係合部分（２２０ｂ）と係合し、止めラッチ（２１８）はその解放位置へ摺動するように促される。この位置では、フック部（２２０ａ）は捕捉部材（２２４）から解除し、ロック要素（２１０）はそのアンロック位置へ自由に枢動することができる。
【０１００】
図６Ｃで見られるように、ロック要素（２１０）の内部の止めラッチ（２１８）の摺動は、ロック要素（２１０）に当接する係合部分（２２０ｂ）によって制限される。したがって、図６Ｄで示されるように、ハンドル（２１２）をさらに枢動することで、係合部分（２２０ｂ）はそのアンロック位置まで枢動するようにロック要素（２１０）を促す。
【０１０１】
このように、作動部材（２３２）がパネル（２００）から引き離されるようにハンドル（２１２）を枢動する単一の動作は、止めラッチ（２１８）をその解放位置へと動かし、直後にロック要素（２１０）はアンロック位置へと枢動する。
【０１０２】
図６Ｅで示されるように、例示される例によれば、パネル（２００）の開放方向へ向かうグリップ（２３０）の枢動により、作動部材（２３２）が止めラッチ（２１８）をその解放位置へ変位させ、ロック要素（２１０）をそのアンロック位置へ変位させるように、ハンドル（２１２）はパネル（２００）上に取り付けられる。このように、ドアパネル（２００）をアンロックして開くことが望ましいとき、一方向へグリップ（２３０）を引く単一の動作が必要とされる。
【０１０３】
本開示された主題が関係する分野の当業者は、本発明の範囲から逸脱することなく、必要な変更を加えて、多くの変化、変更、および修飾を行うことができることを容易に認識する。
【図１Ａ】
2019510897.tif 000003
【図１Ｂ】
2019510897.tif 000004
【図１Ｃ】
2019510897.tif 000005
【図１Ｄ】
2019510897.tif 000006
【図２Ａ】
2019510897.tif 000007
【図２Ｂ】
2019510897.tif 000008
【図２Ｃ】
2019510897.tif 000009
【図２Ｄ】
2019510897.tif 000010
【図２Ｅ】
2019510897.tif 000011
【図３Ａ】
2019510897.tif 000012
【図３Ｂ】
2019510897.tif 000013
【図３Ｃ】
2019510897.tif 000014
【図３Ｄ】
2019510897.tif 000015
【図３Ｅ】
2019510897.tif 000016
【図４Ａ】
2019510897.tif 000017
【図４Ｂ】
2019510897.tif 000018
【図５Ａ】
2019510897.tif 000019
【図５Ｂ】
2019510897.tif 000020
【図５Ｃ】
2019510897.tif 000021
【図５Ｄ】
2019510897.tif 000022
【図５Ｅ】
2019510897.tif 000023
【図６Ａ】
2019510897.tif 000024
【図６Ｂ】
2019510897.tif 000025
【図６Ｃ】
2019510897.tif 000026
【図６Ｄ】
2019510897.tif 000027
【図６Ｅ】
2019510897.tif 000028
【国際調査報告】
2019510897.tif 000029
2019510897.tif 000030
2019510897.tif 000031
2019510897.tif 000032